(57)【要約】【課題】フリーアクセスフロアの使い勝手が悪化することを防止することができると共に、フリーアクセスフロアの構造が複雑化することを防止でき、かつ、空調機が消費するエネルギーを軽減することに貢献することができるフリーアクセスフロアを提供する。【解決手段】着脱自在に設けられたフロアパネル２０と、前記フロアパネル２０を支持する複数の支持脚２８とを有するフリーアクセスフロアにおいて、隣接する前記支持脚２８間に掛け渡した掛け渡し部材５２に蓄熱材５４を設置した。【効果】フリーアクセスフロアの使い勝手が悪化することを防止することができると共に、フリーアクセスフロアの構造が複雑化することを防止でき、かつ、空調機が消費するエネルギーを軽減することに貢献することができる。【選択図】図１
2011208404.tif 000002
【特許請求の範囲】
【請求項１】
着脱自在に設けられたフロアパネルと、前記フロアパネルを支持する複数の支持脚とを有するフリーアクセスフロアにおいて、隣接する前記支持脚間に掛け渡した掛け渡し部材に蓄熱材を設置したことを特徴とするフリーアクセスフロア。
【請求項２】
前記蓄熱材を、鉛直方向又は水平方向のいずれかが長手方向となるように設置したことを特徴とする請求項１に記載のフリーアクセスフロア。
【請求項３】
前記蓄熱材を設置した前記掛け渡し部材を、フリーアクセスフロアを敷設する部屋の特定箇所の前記支持脚間のみに掛け渡したことを特徴とする請求項１または２に記載のフリーアクセスフロア。
【発明の詳細な説明】
【技術分野】
【０００１】
本発明は、例えば床吹出し空調方式に用いられる、フリーアクセスフロアに関するものである。
【背景技術】
【０００２】
従来から、部屋の床下に空間を設け、その空間に各種電子機器のコード等を通すことができる構造になっているフリーアクセスフロアにおいて、例えばそのフロアパネルにあけた孔を通って床下から床上に空気が吹き出して、部屋の暖房や冷房等の空調を行うことができる構造になっている、床吹出し空調方式のフリーアクセスフロアがあった。
【０００３】
また、このような床吹出し空調方式のフリーアクセスフロアにおいて、フロアパネルの下方に蓄熱材を設置して、床下から床上に吹き出す空気を、蓄熱材から放熱される高温度や低温度の熱により、暖めたり冷やしたりすることができる方式のものがあった（例えば、特許文献１参照）。
【０００４】
このような床吹出し空調方式のフリーアクセスフロアによれば、安価な夜間電力を利用して蓄熱材に高温度や低温度の熱を蓄熱し、昼間にこの高温度や低温度の熱を放熱して、床下から吹き出す空気を暖めたり冷やしたりすることができる。このため、蓄熱材を用いない場合に比べて、昼間の部屋の空調を行うときに空調機が消費するエネルギーを軽減することができる。
【先行技術文献】
【特許文献】
【０００５】
【特許文献１】特開２００９−１２１７３５号公報
【発明の概要】
【発明が解決しようとする課題】
【０００６】
しかしながら、上記従来の床吹出し空調方式のフリーアクセスフロアにおいては、特許文献１の図１に示すように、フロアパネルの下方に、支柱部１７の上端部間にわたされた吊り下げシャフト１８に、板状蓄熱部材１０が吊り下げられて配置された蓄熱部材支持体１５が設けられている。
【０００７】
このため、フロアパネルの下方空間に、各種電子機器のコード等を通したいときは、フロアパネルを外すだけではできず、上記のような、支柱部１７、吊り下げシャフト１８、板状蓄熱部材１０等を有する蓄熱部材支持体１５を他の場所に一度移動させる必要がある。このため、フリーアクセスフロアの使い勝手が著しく悪化するという問題があった。
【０００８】
また、上記従来の床吹出し空調方式のフリーアクセスフロアにおいては、上記のような、支柱部１７、吊り下げシャフト１８、板状蓄熱部材１０等を有する蓄熱部材支持体１５を備えているため、フリーアクセスフロアの構造が複雑化するという問題があった。
【０００９】
そこで本発明は、上記問題点に鑑みて、フリーアクセスフロアの使い勝手が悪化することを防止することができると共に、フリーアクセスフロアの構造が複雑化することを防止でき、かつ、空調機が消費するエネルギーを軽減することに貢献することができるフリーアクセスフロアを提供することを課題とするものである。
【課題を解決するための手段】
【００１０】
上記課題を解決するために、本発明によるフリーアクセスフロアは、
着脱自在に設けられたフロアパネルと、前記フロアパネルを支持する複数の支持脚とを有するフリーアクセスフロアにおいて、隣接する前記支持脚間に掛け渡した掛け渡し部材に蓄熱材を設置したことを特徴とするものである。
【００１１】
また、本発明によるフリーアクセスフロアは、
前記蓄熱材を、鉛直方向又は水平方向のいずれかが長手方向となるように設置したことを特徴とするものである。
【００１２】
また、本発明によるフリーアクセスフロアは、
前記蓄熱材を設置した前記掛け渡し部材を、フリーアクセスフロアを敷設する部屋の特定箇所の前記支持脚間のみに掛け渡したことを特徴とするものである。
【発明の効果】
【００１３】
このような本発明のフリーアクセスフロアによれば、
着脱自在に設けられたフロアパネルと、前記フロアパネルを支持する複数の支持脚とを有するフリーアクセスフロアにおいて、隣接する前記支持脚間に掛け渡した掛け渡し部材に蓄熱材を設置したことにより、
フリーアクセスフロアの使い勝手が悪化することを防止することができると共に、フリーアクセスフロアの構造が複雑化することを防止でき、かつ、空調機が消費するエネルギーを軽減することに貢献することができる。
【図面の簡単な説明】
【００１４】
【図１】本発明の第１の実施の形態に係るフリーアクセスフロア５０を設置した部屋３０を示す断面図である。
【図２】図１中のフロアパネル２０を示すその上面図である。
【図３】図２に示すフロアパネル２０の下面図である。
【図４】図３に示すフロアパネル２０のＢ−Ｂ線矢視断面図である。
【図５】図１中のフリーアクセスフロア５０を示す側面断面図である。
【図６】図１に示す部屋３０のＡ−Ａ線矢視断面図である。
【図７】本発明の第２の実施の形態に係るフリーアクセスフロア６０を設置した部屋３０を示す平面図である。
【図８】本発明の第３の実施の形態に係るフリーアクセスフロア７０を設置した部屋３０を示す平面図である。
【発明を実施するための形態】
【００１５】
以下、本発明に係るフリーアクセスフロアを実施するための形態について、図面に基づいて具体的に説明する。
【００１６】
図１から図６は、本発明の第１の実施の形態に係るフリーアクセスフロア５０について説明するために参照する図である。
【００１７】
この本発明の第１の実施の形態に係るフリーアクセスフロア５０は、図１に示すように、主として、水平面上に縦横に互いに隣り合うように整列して複数配置されるフロアパネル２０と、支持脚２８と、掛け渡し部材５２と、蓄熱材５４により構成されている。
【００１８】
そして、コンクリート面２４上に立設された支持脚２８が、その平面形状が略正方形であるフロアパネル２０の四隅を、その下側から支持するような構造になっていて、部屋３０の床部に敷設されている。
【００１９】
このようなフロアパネル２０と支持脚２８により、部屋３０は、フロアパネル２０の下側に床下空間３０ａを有するようになっていて、この床下空間３０ａ内に各種電子機器のコード等を通すことができる構造になっている。
【００２０】
また、部屋３０は、その床下空間３０ａの壁面には給気口３０ｃが形成され、その床上空間３０ｂの壁面の上側には排気口３０ｄがそれぞれ形成されている。そして、部屋３０の給気口３０ｃと排気口３０ｄはそれぞれ、不図示のエアーダクトを介して、部屋３０の外部に設置されている空調機３１と連通している。この空調機３１により温度の調整等がされた空気が、給気口３０ｃから床下空間３０ａ内に供給されるようになっている。
【００２１】
また、フロアパネル２０には、その下方の床下空間３０ａから上方の床上空間３０ｂに空気を通す貫通孔２０ａが多数形成されている。また、フロアパネル２０の上には、下方から上方に空気を通す通気孔３２ａが形成されている複数のタイルカーペット３２が、水平面上に縦横に互いに隣り合うように整列して配置されている。
【００２２】
このため、フリーアクセスフロア５０は、フロアパネル２０に形成された貫通孔２０ａと、タイルカーペット３２に形成された通気孔３２ａとを通って、床下空間３０ａから床上空間３０ｂに空気が吹き出して、部屋（床上空間３０ｂ）の暖房や冷房等の空調を行なうことができる、床吹出し空調方式の構造になっている。
【００２３】
フロアパネル２０は、図４に示すように、平板状のトップシート３４と、外周部より内側に箱状の補強部３８が形成されたボトムシート３６とで構成されている。これらのトップシート３４とボトムシート３６は共に鋼板材を用いて形成されている。
【００２４】
図２に示すように、フロアパネル２０のトップシート３４は、その平面形状が略正方形であり、一定の厚さを有する平板状に形成されている。そして、トップシート３４にはその厚さ方向に貫通する多数の、長孔状の貫通孔３４ａが形成されている。
【００２５】
図３及び図４に示すように、フロアパネル２０のボトムシート３６の、補強部３８の底面３８ａの周部より中央側には、ボトムシート３６の強度を向上させるために、その底面３８ａからトップシート３４側に深さを有する段差面３８ｂが形成されており、さらにその段差面３８ｂには、トップシート３４に向かって凹んだ補強形状部４０が多数箇所に形成されている。
【００２６】
この補強形状部４０は、図４に示すように、プレス絞り加工により、略半球状に凹むよう形成されている。また、補強形状部４０には、トップシート３４に向かって凹んだ最奥部に、平坦部４２（底部）が形成されており、その周囲の球面部には、図３に示すように、平坦部４２を囲んでその放射方向に長軸を有する、６つの楕円状の貫通孔４０ａが形成されている。
【００２７】
したがって、フロアパネル２０の上記トップシート３４に形成された長孔状の貫通孔３４ａと、上記ボトムシート３６の補強形状部４０の球面部の貫通孔４０ａは共に、図１におけるフロアパネル２０に表示された貫通孔２０ａを構成している。
【００２８】
図３に示すフロアパネル２０は、図４に示すフロアパネル２０を同図中下側から見た状態を示す図であり、図３に示すフロアパネル２０における、多数箇所に形成されている補強形状部４０それぞれの開口径は、フロアパネル２０の裏面側のボトムシート３６の段差面３８ｂにおいて最も大きく、トップシート３４側（図４中上側）に向かうにつれて小さくなっている。
【００２９】
図４に示すように、ボトムシート３６は、その外周部に形成されたフランジ部３８ｃと、補強形状部４０の先端の平坦部４２とが、トップシート３４に当接し、これらの当接部分を、溶接により接合するようになっている。このため、フロアパネル２０は、トップシート３４とボトムシート３６との間の内部に空間を有する中空状になっている。また、フロアパネル２０は、支持脚２８から着脱することが自在にできるようになっている。
【００３０】
フリーアクセスフロア５０の支持脚２８は、図５に示すように、フロアパネル２０を支持するパネル調整台２８ａと、その下側同一軸線上に連結された脚部２８ｂとを有している。
【００３１】
この支持脚２８は、図６に示すように、その水平形状が略正方形の部屋３０のコンクリート面２４上に、部屋３０の床下空間３０ａの全体にわたって、水平面上に縦横に互いに間隔をおいて整列して複数配置されている。
【００３２】
図５に示すように、支持脚２８の上端部の、フロアパネル２０の隅部を支持するパネル調整台２８ａと、やはりフロアパネル２０の隅部を支持する他の支持脚２８の上端部のパネル調整台２８ａとの間に、掛け渡し部材５２の両端部が掛け渡されて設置されている。
【００３３】
掛け渡し部材５２は、図５、図６に示すように、略矩形の板状に形成され、その長手方向がコンクリート面２４と略平行に（水平に）なるような状態で、フロアパネル２０の底面３８ａ下側近傍に配置されている。
【００３４】
そして、掛け渡し部材５２の長手方向の両端が、上部に位置するフロアパネル２０の四隅を支持する２つの支持脚２８のパネル調整台２８ａ間に、段状の凹凸形状等を介して掛け渡されるような構造になっている。このため、２つの支持脚２８のパネル調整台２８ａの間に掛け渡し部材５２が掛け渡されるようになっている。
【００３５】
そのため、この掛け渡し部材５２は、図６に示すように、部屋３０の床下空間３０ａの全体にわたって、任意の支持脚２８と、その支持脚２８の図中上下左右方向に位置する他の支持脚２８のパネル調整台２８ａの間に掛け渡されるようになっている。
【００３６】
この掛け渡し部材５２は、図６に示すように、その長手方向とは垂直な幅方向の一端側の側面（図中紙面に垂直方向の鉛直面）に、掛け渡し部材５２の長手方向に間隔をおいて４つの蓄熱材５４が配置され、掛け渡し部材５２に上端部が固定されて設けられている。
【００３７】
ここで、蓄熱材５４には、例えば、パラフィン系潜熱蓄熱材を用いることができる。このパラフィン系潜熱蓄熱材は、種々の態様、例えば、ゲル、エマルジョン、ビーズ、スラリー、シリカコーティング品等の態様をとることができる。
【００３８】
例えば、上記蓄熱材５４には、ゲル状の態様を選んで、そのゲル状の潜熱蓄熱材を中に充填した、適切なプラスチックの包装袋において、適切な厚さの板状に形成されたものを用いることができる。
【００３９】
このような蓄熱材５４が充填されて板状に形成されたプラスチックの包装袋を、図５に示すように、その長手方向がコンクリート面２４に対して略垂直となるように下垂させて、その長手方向の上端部において、上記掛け渡し部材５２の、コンクリート面２４に対して略垂直な片側の面に、ひもや接着剤等を用いて固定することができる。
【００４０】
この蓄熱材５４が充填されたプラスチックの包装袋は、図５に示すように、それらの４つが掛け渡し部材５２の長手方向に互いに間隔をおいて配置されている。
【００４１】
このことにより、支持脚２８と他の支持脚２８との間に掛け渡された掛け渡し部材５２に、蓄熱材５４を一体的に設けることができる。このため、複数の支持脚２８間に掛け渡し部材５２が掛け渡されているために、蓄熱材５４は、掛け渡し部材５２を介して、２つの支持脚２８に設置することができる。
【００４２】
したがって、フロアパネル２０の下方から上方に空気が通る際には、空気は蓄熱材５４に接触するので、蓄熱材５４から放熱される高温度や低温度の熱により、蓄熱材５４の近傍を通る空気を暖めたり冷やしたりすることができる。このためその分、空調機３１が消費するエネルギーを軽減することができる。
【００４３】
また、部屋３０の床下空間３０ａの全体にわたって、掛け渡し部材５２及び蓄熱材５４が配置されているために、床下空間３０ａの空気全体を暖めたり冷やしたりすることができる。
【００４４】
また、蓄熱材５４は、フロアパネル２０の底面３８の下側近傍に設けられているので、
フロアパネル２０の下方から上方に通る空気をより効率的に暖めたり冷やしたりすることができる。
【００４５】
また、既存のフロアパネル２０と支持脚２８を利用することができるため、掛け渡し部材５２と、蓄熱材５４とを新たに設けるだけで済むと共に、従来のような、支持脚２８とは別の柱部材に水平にわたした棒材に蓄熱材５４を設ける構造物が不要となるので、フリーアクセスフロア５０の構造が複雑化するのを防止することができる。
【００４６】
以上説明したように、本発明の第１の実施の形態に係るフリーアクセスフロア５０によれば、フリーアクセスフロア５０の使い勝手が悪化することを防止することができると共に、フリーアクセスフロア５０の構造が複雑化することを防止でき、かつ、空調機３１が消費するエネルギーを軽減することに貢献することができる。
【００４７】
図７は、本発明の第２の実施の形態に係るフリーアクセスフロア６０について説明するために参照する図である。
【００４８】
前記第１の実施の形態に係るフリーアクセスフロア５０においては、掛け渡し部材５２は、部屋３０の床下空間３０ａの全体にわたって、隣合う支持脚２８間に掛け渡されるようになっていたのに対して、この第２の実施の形態に係るフリーアクセスフロア６０においては、図７に示すように、掛け渡し部材６２は、部屋３０の床下空間３０ａの一部分に形成されている蓄熱エリア６６（図中破線に囲まれた範囲）内の支持脚２８間に掛け渡されるようになっていて、蓄熱エリア６６以外の他の範囲における支持脚２８間に掛け渡されるようにはなっていない点で異なるものである。
【００４９】
すなわち、この第２の実施の形態に係るフリーアクセスフロア６０においては、図７に示すように、部屋３０に形成された給気口３０ｃ（図中右下側）の近傍周囲を囲む蓄熱エリア６６の範囲内にある支持脚２８のみに、掛け渡し部材６２が掛け渡されるようになっていて、蓄熱材６４も、その範囲内の支持脚２８に掛け渡された掛け渡し部材６２にのみ、設置されるようになっている。
【００５０】
このため、部屋３０の蓄熱エリア６６以外の範囲では、その床下空間３０ａに新たに電子機器のコードを通す場合には、着脱可能となっているフロアパネル２０のみを取り外すだけで作業をすることができるので、配線作業の効率が従来と変わらないものとなる。このため、フリーアクセスフロア６０の使い勝手が悪化することを防止することができる。
【００５１】
また、床下空間３０ａから床上空間３０ｂに向かう空気は、その前に給気口３０ｃの近傍を必ず通ることになる。そのため、フロアパネル２０を通る空気は、部屋３０の給気口３０ｃの近傍に集中して設けられた蓄熱材６４から放熱される高温度や低温度の熱により、確実に暖めたり冷やしたりすることができる。
【００５２】
このような本発明の、第２の実施の形態に係るフリーアクセスフロア６０によれば、フロアパネル２０の下方から上方に空気が通る際には、空気は蓄熱材６４に接触するので、蓄熱材６４から放熱される高温度や低温度の熱により、フロアパネル２０を通る空気を暖めたり冷やしたりすることができる。このためその分、空調機３１が消費するエネルギーを軽減することができる。
【００５３】
また、本発明の第２の実施の形態に係るフリーアクセスフロア６０によれば、フリーアクセスフロア６０の使い勝手が悪化するのを防止することもできる。
【００５４】
図８は、本発明の第３の実施の形態に係るフリーアクセスフロア７０について説明するために参照する図である。
【００５５】
前記第１及び第２の実施の形態に係るフリーアクセスフロア５０，６０においては、蓄熱材５４，６４は、その長手方向の一端において１つの掛け渡し部材５２，６２に固定されて下垂するようになっていたのに対して、この第３の実施の形態に係るフリーアクセスフロア７０においては、蓄熱材７４はその両端部が複数の掛け渡し部材７２に固定されて、水平方向に配置されるようになっている。
【００５６】
すなわち、この第３の実施の形態に係るフリーアクセスフロア７０においては、掛け渡し部材７２は、前記第１の実施の形態に係るフリーアクセスフロア５０の掛け渡し部材５２と同様に、部屋３０の床下空間３０ａの全体にわたって、支持脚２８間に掛け渡されるようになっている。
【００５７】
そして、蓄熱材７４は、図８に示すように、略矩形の板状に形成されている。この蓄熱材７４は、給気口３０ｃが形成された壁面と長手方向が略平行方向（水平方向）に配置され、互いに対向する掛け渡し部材７２の間に水平方向に間隔をおいて配置され、その長手方向の両端が複数の掛け渡し部材７２それぞれに固定されるようになっている。
【００５８】
このため、蓄熱材７４は、互いに向かい合う掛け渡し部材７２間の距離と同程度の長さに形成することができるので、前記第１の実施の形態のフリーアクセスフロア５０における蓄熱材５４に比べて、その面積も長さが長くなるにしたがって大きくなる。蓄熱材７４は、その面積が大きいほど、蓄熱材７４と空気が効果的に接触し、蓄熱材７４は熱を大きく蓄熱、放熱することができるので、フロアパネル２０を通る空気は、蓄熱材７４からより放熱される高温度や低温度の熱により、効率的に暖めたり冷やしたりすることができる。
【００５９】
このような本発明の、第３の実施の形態に係るフリーアクセスフロア７０によれば、フロアパネル２０の下方から上方に空気が通る際には、空気は蓄熱材７４に大きな面積で接触するので、蓄熱材７４から放熱される高温度や低温度の熱により、フロアパネル２０を通る空気を暖めたり冷やしたりすることができる。このためそれだけ、空調機３１が消費するエネルギーを軽減することができる。
【００６０】
また、既存のフロアパネル２０と支持脚２８を利用することができるため、掛け渡し部材７２と、蓄熱材７４とを新たに設けるだけで済むと共に、従来のような、支持脚２８とは別の柱部材に水平にわたした棒材に蓄熱材７４を設ける構造物が不要となるので、フリーアクセスフロア７０の構造が複雑化するのを防止することができる。
【００６１】
なお、前記第１から第３の実施の形態に係るフリーアクセスフロア５０等においては、フロアパネル２０のトップシート３４と、ボトムシート３６とは共に鋼板材を用いて形成されるものであったが、これらの部材はこのような材料に限定される必要はなく、他の材料を用いて形成されるようにしてもよい。
【００６２】
また、フロアパネルの形状についても前記第１から第３の実施の形態に係るフリーアクセスフロア５０等におけるフロアパネル２０の形状に限定される必要はなく、他の形状に形成されていてもよい。
【００６３】
また、前記第１から第３の実施の形態に係るフリーアクセスフロア５０等においては、フロアパネル２０は、トップシート３４と、ボトムシート３６とは溶接により接合されていたが、このような接合手段に限定される必要は無く、他の接合手段により接合されるようにしてもよい。
【００６４】
また、前記第１から第３の実施の形態に係るフリーアクセスフロア５０等においては、フロアパネル２０は、別部材であるトップシート３４と、ボトムシート３６とが組合されるものであったが、初めから単一部材として形成されるようなものであってもよい。
【００６５】
また、前記第１から第３の実施の形態に係るフリーアクセスフロア５０等においては、フロアパネル２０は、その内部に空間が形成されていたが、フロアパネル２０は、その内部に空間を有さない中実状に形成されていてもよい。
【００６６】
また、前記第１から第３の実施の形態に係るフリーアクセスフロア５０等においては、掛け渡し部材５２等は、支持脚２８の上端部のパネル調整台２８ａ間に掛け渡されるようになっていたが、支持脚２８の下端部の脚部２８ｂの周面に固定されるようになっていてもよい。
【００６７】
また、前記第１から第３の実施の形態に係るフリーアクセスフロア５０等においては、掛け渡し部材５２等は、水平面上の縦横に並んだ支持脚２８間に掛け渡されるようになっていたが、縦方向や横方向の一方のみの支持脚２８間に掛け渡されるようになっていてもよく、また、斜め方向に並んだ支持脚２８間に掛け渡されるようになっていてもよい。
【００６８】
また、前記第１から第３の実施の形態に係るフリーアクセスフロア５０等においては、掛け渡し部材５２等は、後から支持脚２８間に掛け渡されるようになっていたが、支持脚２８に既にストリンガー等の支持脚の補強部材が設置されている場合は、それらを掛け渡し部材として使用するようにしてもよい。
【００６９】
また、前記第２の実施の形態に係るフリーアクセスフロア６０においては、蓄熱エリア６６は、部屋３０の給気口３０ｃの近傍を囲むようになっていたが、部屋３０の室内の一部分に掛け渡し部材６２及び蓄熱材６４を設けるようになっていればよい。例えば、蓄熱エリア６６を、部屋３０の室内を囲む全ての壁面の近傍のみに設定して、それらの壁面近傍の支持脚２８間に掛け渡されるようになっていてもよい。
【００７０】
また、前記第３の実施の形態に係るフリーアクセスフロア７０においては、掛け渡し部材７２及び蓄熱材７４は、部屋３０の床下空間３０ａの全体にわたって設けられていたが、前記第２の実施の形態に係るフリーアクセスフロア６０の掛け渡し部材６２及び蓄熱材６４と同様に、部屋３０の給気口３０ｃの近傍を囲むように設けられていてもよいし、また、部屋３０の室内の一部分に掛け渡し部材７２及び蓄熱材７４を設けるようになっていてもよい。
【００７１】
また、前記第３の実施の形態に係るフリーアクセスフロア７０においては、蓄熱材７４は、給気口３０ｃが形成された壁面と長手方向が略平行方向（水平方向）に配置され、互いに対向する掛け渡し部材７２の間に水平方向に間隔をおいて配置され、その長手方向の両端が複数の掛け渡し部材７２それぞれに固定されるようになっていたが、複数の掛け渡し部材７２に固定されるようになっていればよく、部屋３０内でそれぞれが一方向に並んでいなくてもよい。
【００７２】
また、前記第１から第３の実施の形態に係るフリーアクセスフロア５０等においては、蓄熱材５４等として、ゲル状の態様のパラフィン系潜熱蓄熱材をプラスチックの包装袋に充填したものを用いたが、このパラフィン系潜熱蓄熱材はゲル状の態様のものに限定する必要は無く、他の態様の潜熱蓄熱材を用いることもできる。
【００７３】
また、前記第１から第３の実施の形態に係るフリーアクセスフロア５０等においては、蓄熱材５４等は、包装袋により板状に形成されていたが、この形状に限定される必要はない。また、その表面形状、取付けられる個数、取付けられる位置もこれらの実施の形態に制限される必要はない。
【００７４】
また、前記第１から第３の実施の形態に係るフリーアクセスフロア５０等においては、蓄熱材５４等は、その全ての外面を包装袋で覆うようになっていたが、その一部を覆うようになっていてもよく、また、包装袋で覆うようになっていなくてもよい。
【００７５】
また、前記実施の形態に係るフリーアクセスフロアにおいてはフロアパネルの下方から上方に空気が吹出す方式のものについて説明したが、フロアパネルの上方から下方に空気が吹出す方式のものについて本発明を適用してもよい。
【符号の説明】
【００７６】
２０  フロアパネル
２０ａ  貫通孔
２４  コンクリート面
２８  支持脚
２８ａ  パネル調整台
２８ｂ  脚部
３０  部屋
３０ａ  床下空間
３０ｂ  床上空間
３０ｃ  給気口
３０ｄ  排気口
３１  空調機
３２  タイルカーペット
３２ａ  通気孔
３４  トップシート
３４ａ  貫通孔
３６  ボトムシート
３８  補強部
３８ａ  底面
３８ｂ  段差面
３８ｃ  フランジ部
４０  補強形状部
４０ａ  貫通孔
４２  平坦部
５０  フリーアクセスフロア
５２  掛け渡し部材
５４  蓄熱材
６０  フリーアクセスフロア
６２  掛け渡し部材
６４  蓄熱材
７０  フリーアクセスフロア
７２  掛け渡し部材
７４  蓄熱材
【図１】
2011208404.tif 000003
【図２】
2011208404.tif 000004
【図３】
2011208404.tif 000005
【図４】
2011208404.tif 000006
【図５】
2011208404.tif 000007
【図６】
2011208404.tif 000008
【図７】
2011208404.tif 000009
【図８】
2011208404.tif 000010